(57)【要約】【課題】  引き出し式基板のスライドウエー装置の提供。【解決手段】  コンピュータのケース内の内側の両側に、複数の円形固定手段が組み付けられ、複数の固定手段の間に空隙が形成され、この空隙がスライドウエーとされる。こうして、スライドウエー装置が引き出し式基板と係合するのに用いられるほか、スライドウエー装置と引き出し式基板との間の摩擦力を減らして引き出し式基板のスライドウエー装置におけるスライドを容易とする。【選択図】        図２
2005019931.tif 000002
【特許請求の範囲】
【請求項１】
引き出し式基板がスライド式に出し入れされる引き出し式基板のスライドウエー装置において、二つの平行なスライドウエーが二つの側板の対応する内側に設置され、相互に平行な各スライドウエーは、幅が引き出し式基板の厚さより大きいスライドウエーと、該スライドウエーの下方にあって上縁面がスライドウエーの下縁に隣接するように設置された少なくとも二つの円形下固定手段と、スライドウエーの上方にあって下縁面がスライドウエーの上縁に隣接するように設置された少なくとも一つの円形上固定手段とを具えたことを特徴とする、引き出し式基板のスライドウエー装置。
【請求項２】
請求項１記載の引き出し式基板のスライドウエー装置において、二つの平行なスライドウエーの後端に対応する、スライドウエー装置の後壁内側に、第１コネクタが組付けられ、引き出し式基板の後端に第２コネクタが組み付けられ、引き出し式基板が二つの平行なスライドウエーに沿って後方へと挿入されて末端に至る時に、該第１コネクタが第２コネクタに対応し電気的に接続されることを特徴とする、引き出し式基板のスライドウエー装置。
【請求項３】
請求項１記載の引き出し式基板のスライドウエー装置において、円形上固定手段が金属短円柱とされたことを特徴とする、引き出し式基板のスライドウエー装置。
【請求項４】
請求項１記載の引き出し式基板のスライドウエー装置において、円形下固定手段が金属短円柱とされたことを特徴とする、引き出し式基板のスライドウエー装置。
【請求項５】
請求項１記載の引き出し式基板のスライドウエー装置において、円形上固定手段がプラスチック短円柱とされたことを特徴とする、引き出し式基板のスライドウエー装置。
【請求項６】
請求項１記載の引き出し式基板のスライドウエー装置において、円形下固定手段がプラスチック短円柱とされたことを特徴とする、引き出し式基板のスライドウエー装置。
【請求項７】
請求項１記載の引き出し式基板のスライドウエー装置において、スライドウエー装置の二つの側板に複数のパンチホールが設けられ、円形下固定手段、円形上固定手段が対応するパンチホールにリベット接合されたことを特徴とする、引き出し式基板のスライドウエー装置。
【請求項８】
請求項１記載の引き出し式基板のスライドウエー装置において、スライドウエー装置の二つの側板がブレードサーバーのケース内に設置されたことを特徴とする、引き出し式基板のスライドウエー装置。
【請求項９】
請求項１記載の引き出し式基板のスライドウエー装置において、二つの側板がコンピュータのケース内に設置されたことを特徴とする、引き出し式基板のスライドウエー装置。
【発明の詳細な説明】
【技術分野】
【０００１】
本発明は一種のスライドウエー装置に係り、特に引き出し式基板のスライドウエー装置に関する。
【背景技術】
【０００２】
ブレードサーバー（Ｂｌａｄｅ  Ｓｅｒｖｅｒ）は、人気が高まっているサーバーレベルのコンピュータ装置である。一般にブレードサーバー中にあっては、一部部品を更新のために引き出し式基板が使用されている。例えば、特定機能を具えた基板にモジュール化過程を行なった後、包装して引き出し式基板となし、並びにブレードサーバー内部に引き出し式基板を収容できるスライドレール装置を設置し、スライドレール装置の両内側辺それぞれにスライドレールを設け、引き出し式基板を該スライドレールに滑り込ませ、並びにスライドレール装置中に係合させる。こうして使用者は一部の部品の機能を更新したい時、ただ古い引き出し式基板をスライドレール装置より引き抜き、新しい引き出し式基板をスライドレール装置に滑り込ませれば、部品更新の目的を達成でき、相当に便利である。
【０００３】
図１に示されるように、ブレードサーバー５の内部にはスライドレール装置１０が設けられ、その対向する二つの内側辺にはそれぞれスライドレール１２が設けられている。該スライドレール１２は鉄片１２１を折り曲げてなり、Ｉ字形或いはＵ字形を呈するものとされるか、或いはプラスチックガイドレール（例えばよく目にされるカードガイド（ｃａｒｄ  ｇｕｉｄｅ））とされる。引き出し式基板１４はスライドレール１２に滑り込まされる（スライドレール装置１０内に置かれる）。しかし、鉄片１２１或いはカードガイドで形成されたスライドレール１２のいずれも、スライドレール１２と引き出し式基板１４の間の接触が平面対平面であり、相互間に巨大な摩擦力が存在し、このため引き出し式基板１４をスライドレール１２に挿入する過程で、大きな外力を必要とする。このほか、鉄片１２１で製造されたスライドレール１２はその表面のほとんどが比較的粗く、引き出し式基板１４の表面を傷つけやすく、このために引き出し式基板１４に短絡の現象を形成させることがある。以上から分かるように、周知のスライドレール１２には改善の必要がある。
【発明の開示】
【発明が解決しようとする課題】
【０００４】
本発明の主要な目的は、スライドウエー装置の摩擦力を減らすことにより引き出し式基板のスライドウエー装置内でのスライドを容易に行なえるようにした引き出し式基板のスライドウエー装置を提供することにある。
【０００５】
本発明のもう一つの目的は、引き出し式基板の表面を傷つけない引き出し式基板のスライドウエー装置を提供することにある。
【０００６】
本発明のさらにもう一つの目的は、引き出し式基板のスライドウエー装置の製造コストを減らすことにある。
【課題を解決するための手段】
【０００７】
請求項１の発明は、引き出し式基板がスライド式に出し入れされる引き出し式基板のスライドウエー装置において、二つの平行なスライドウエーが二つの側板の対応する内側に設置され、相互に平行な各スライドウエーは、幅が引き出し式基板の厚さより大きいスライドウエーと、該スライドウエーの下方にあって上縁面がスライドウエーの下縁に隣接するように設置された少なくとも二つの円形下固定手段と、スライドウエーの上方にあって下縁面がスライドウエーの上縁に隣接するように設置された少なくとも一つの円形上固定手段とを具えたことを特徴とする、引き出し式基板のスライドウエー装置としている。
請求項２の発明は、請求項１記載の引き出し式基板のスライドウエー装置において、二つの平行なスライドウエーの後端に対応する、スライドウエー装置の後壁内側に、第１コネクタが組付けられ、引き出し式基板の後端に第２コネクタが組み付けられ、引き出し式基板が二つの平行なスライドウエーに沿って後方へと挿入されて末端に至る時に、該第１コネクタが第２コネクタに対応し電気的に接続されることを特徴とする、引き出し式基板のスライドウエー装置としている。
請求項３の発明は、請求項１記載の引き出し式基板のスライドウエー装置において、円形上固定手段が金属短円柱とされたことを特徴とする、引き出し式基板のスライドウエー装置としている。
請求項４の発明は、請求項１記載の引き出し式基板のスライドウエー装置において、円形下固定手段が金属短円柱とされたことを特徴とする、引き出し式基板のスライドウエー装置としている。
請求項５の発明は、請求項１記載の引き出し式基板のスライドウエー装置において、円形上固定手段がプラスチック短円柱とされたことを特徴とする、引き出し式基板のスライドウエー装置としている。
請求項６の発明は、請求項１記載の引き出し式基板のスライドウエー装置において、円形下固定手段がプラスチック短円柱とされたことを特徴とする、引き出し式基板のスライドウエー装置としている。
請求項７の発明は、請求項１記載の引き出し式基板のスライドウエー装置において、スライドウエー装置の二つの側板に複数のパンチホールが設けられ、円形下固定手段、円形上固定手段が対応するパンチホールにリベット接合されたことを特徴とする、引き出し式基板のスライドウエー装置としている。
請求項８の発明は、請求項１記載の引き出し式基板のスライドウエー装置において、スライドウエー装置の二つの側板がブレードサーバーのケース内に設置されたことを特徴とする、引き出し式基板のスライドウエー装置としている。
請求項９の発明は、請求項１記載の引き出し式基板のスライドウエー装置において、二つの側板がコンピュータのケース内に設置されたことを特徴とする、引き出し式基板のスライドウエー装置としている。
【発明の効果】
【０００８】
本発明は、スライドウエー装置の摩擦力を減らすことにより引き出し式基板のスライドウエー装置内でのスライドを容易に行なえるようにした引き出し式基板のスライドウエー装置を提供している。
【０００９】
本発明は、引き出し式基板の表面を傷つけない引き出し式基板のスライドウエー装置を提供している。
【００１０】
本発明は、引き出し式基板のスライドウエー装置の製造コストを減らす。
【発明を実施するための最良の形態】
【００１１】
本発明によると、引き出し式基板が挿入される引き出し式基板のスライドウエー装置において、二つの平行なスライドウエーが二つの側板の対応する内側に設置され、平行な各スライドウエーは、幅が引き出し式基板の厚さより大きいスライドウエーと、該スライドウエーの下方にあって上縁面がスライドウエーの下縁に隣接するように設置された少なくとも二つの円形下固定手段と、スライドウエーの上方にあって下縁面がスライドウエーの上縁に隣接するように設置された少なくとも一つの円形上固定手段とを具えている。
【００１２】
少なくとも二つの円形下固定手段及び少なくとも一つの円形上固定手段は金属短円柱或いはプラスチック短円柱とされ、リベッティング、係合、嵌合、螺合、はんだ付け或いは接着によりスライドウエー装置に接合され、これら円形上固定手段及び円形下固定手段は光沢のある滑らかな表面と小さい接触面積を有し、並びに細いスライドウエー幅を提供する。このほか、その製造コストは周知の技術より低く、ゆえに本発明の目的を達成する。
【実施例１】
【００１３】
図２に示されるようにブレードサーバー５内部には複数の側板によりスライドウエー装置２０が形成され、側板の対応する内縁に２本の平行なスライドウエー２２が組み付けられている。引き出し式基板１４がスライドウエー装置２０に挿入される時、スライドウエー装置２０のスライドウエー２２は案内の機能を具備するだけでなく、引き出し式基板１４を支持する。そのうち、スライドウエー２２は５個の円形固定手段２２１で組成されている。そのうち、三つの円形固定手段２２１は円形下固定手段とされ、残る二つの円形固定手段２２１は円形上固定手段とされる。円形下固定手段と円形上固定手段の間に自然にスライドウエー２２が形成される。そのうち、円形下固定手段の上縁はスライドウエー２２の下縁に隣接し、引き出し式基板１４がスライドウエー２２に沿ってスライドウエー装置２０に挿入される時、スライドウエー２２の三つの円形下固定手段が引き出し式基板１４に適当な支持力を提供して引き出し式基板１４を支持する。円形上固定手段の下縁はスライドウエー２２の上縁に隣接し、引き出し式基板１４がスライドウエー２２に沿ってスライドウエー装置２０に挿入される時、スライドウエー２２の二つの円形上固定手段が引き出し式基板１４に適当な下圧力を提供し、引き出し式基板１４をスライドウエー２２に沿って前進させる。引き出し式基板１４が完全にスライドウエー装置２０に挿入される時、引き出し式基板１４の第１コネクタ１６がスライドウエー装置２０の第２コネクタ１８と電気的接続を形成する。これにより、引き出し式基板１４の電子信号が第２コネクタ１８と第１コネクタ１６を介してブレードサーバー５に伝送される。且つ第１コネクタ１６と第２コネクタ１８の係合により、引き出し式基板１４がスライドウエー装置２０に係合する。
【００１４】
スライドウエー２２を形成する円形固定手段２２１は、引き出し式基板１４との接触方式が軸方向線状接触とされ、その種類に制限はなく、例えば、金属短円柱、プラスチック短円柱或いは金属球体とされうる。そのうち、金属短円柱で形成された円形固定手段２２１は、スライドウエー２２を形成する機能のほか、引き出し式基板１４がスライドウエー装置２０に挿入される時、引き出し式基板１４の接地点（或いは接地面積）を増し、これにより、引き出し式基板１４の電子信号の特性を強化する。もしプラスチック短円柱で形成した円形固定手段２２１を使用すれば、スライドウエー２２の機能のほか、引き出し式基板１４をスライドウエー装置２０に挿入する時、引き出し式基板１４に絶縁の環境を提供し、引き出し式基板１４とブレードサーバー５のその他の装置の間に電子信号の干渉が発生するのを防止できる。
【００１５】
円形固定手段２２１は、リベッティング、係合、嵌合、螺合、はんだ付け或いは接着によりスライドウエー装置２０の対応する内側に設置される。例えば、直接円形固定手段２２１がスライドウエー装置２０の対応する内側にはんだ付け或いは接着されてスライドウエー２２を形成する。或いはスライドウエー装置２０の対応する内側に、５個のパンチホールが設けられ、各円形固定手段２２１がリベッティング、嵌合、螺合或いは係合の方式で対応するパンチホールに接合されてスライドウエー２２を形成する。
【００１６】
このほか、図３に示される実施例では、ネジ山を具えた円形固定手段２２２及びネジ孔を具えた円形固定手段２２３が使用され、これらは円形固定手段２２１と相似の部品であるが、ネジ山を具えた円形固定手段２２２にはネジ山が設けられ、ネジ孔を具えた円形固定手段２２３にはネジ孔が設けられていることである。スライドウエー装置２０１及びスライドウエー装置２０２はスライドウエー装置２０と相似の構造でり、両者は近接し、ゆえにスライドウエー装置２０１とスライドウエー装置２０２は共同側辺２２４を具備する。こうして、共同側辺２２４に五個のパンチホールが設けられ、ネジ山を具えた円形固定手段２２２とネジ孔を具えた円形固定手段２２３がスライドウエー装置２０１及びスライドウエー装置２０２の共同側辺２２４に螺合され、これによりスライドウエー装置２０１とスライドウエー装置２０２のスライドウエー２２形成のコストを減らすことができる。
【００１７】
リベッティング、係合、嵌合、螺合、はんだ付け或いは接着された円形固定手段２２１、ネジ山を具えた円形固定手段２２２、ネジ孔を具えた円形固定手段２２３で形成されるスライドウエー２２は、その製造工程が鉄片を曲げ加工してなるスライドレール１２より簡単であり、ゆえにスライドウエー装置２０のスライドウエー２２の製造コストを減らすことができる。円形固定手段２２１、ネジ山を具えた円形固定手段２２２、ネジ孔を具えた円形固定手段２２３はモールディングにより製造でき、その表面をより光沢を有し滑らかなものとすることができ、ゆえに円形固定手段２２１、ネジ山を具えた円形固定手段２２２、ネジ孔を具えた円形固定手段２２３で形成したスライドウエー２２は引き出し式基板１４の表面に傷を形成することがなく、引き出し式基板１４に短絡の現象を発生させにくい。このほか、円形固定手段２２１、ネジ山を具えた円形固定手段２２２、ネジ孔を具えた円形固定手段２２３で形成したスライドウエー２２は、その幅が円形固定手段２２１、ネジ山を具えた円形固定手段２２２、ネジ孔を具えた円形固定手段２２３の提供する幅により定められ、鉄片加工の場合のような最小幅の制限を受けず、ゆえに周知のスライドレール１２の幅より小さい幅のスライドウエー２２を形成でき、ゆえに引き出し式基板１４とスライドウエー２２の間の摩擦力を減らすことができる。このほか、引き出し式基板１４は小さい境界のみを保留すればよく、ゆえに引き出し式基板１４のレイアウトの空間を増加できる。
【００１８】
円形固定手段２２１、ネジ山を具えた円形固定手段２２２、ネジ孔を具えた円形固定手段２２３は引き出し式基板１４と線或いは面接触するが、多角形固定手段或いは三角形固定手段を円形固定手段２２１の代わりに採用した場合も、引き出し式基板１４との接触は線接触となり、円形固定手段２２１、ネジ山を具えた円形固定手段２２２、ネジ孔を具えた円形固定手段２２３と同じ長所を具備する。
【００１９】
このほか、引き出し式基板１４はその他のモジュール化された電子装置、例えば、引き出し式ファンモジュール、引き出し式ディスクモジュール或いは引き出し式電源モジュールとすることができる。ブレードサーバー５もまたデスクトップ型コンピュータ或いはノートブック型コンピュータに変えることができる。
【００２０】
円形固定手段２２１、ネジ山を具えた円形固定手段２２２、ネジ孔を具えた円形固定手段２２３は光沢のある滑らかな表面を有し、比較的小さい接触面積を有し、並びに細いスライドウエー幅を提供する。このほか、その製造コストは周知の技術よりも少なく、ゆえに本発明の目的を達成できる。
【００２１】
以上の実施例は本発明の実施範囲を限定するものではなく、本発明に基づきなしうる細部の修飾或いは改変は、いずれも本発明の請求範囲に属するものとする。
【図面の簡単な説明】
【００２２】
【図１】周知のスライドレール装置と引き出し式基板の表示図である。
【図２】本発明のスライドウエー装置と引き出し式基板の表示図である。
【図３】本発明の円形固定手段を二つの隣り合うスライドウエー装置に螺合した実施例の表示図である。
【符号の説明】
【００２３】
５  ブレードサーバー            １０  スライドレール装置
１２  スライドレール            １４  引き出し式基板
１６  第１コネクタ              １８  第２コネクタ
２０  スライドウエー装置        ２２  スライドウエー
１２１  鉄片                    ２０１  スライドウエー装置
２０２  スライドウエー装置      ２２１  円形固定手段
２２２  ネジ山を具えた円形固定手段
２２３  ネジ孔を具えた円形固定手段
２２４  共同側辺
【図１】
2005019931.tif 000003
【図２】
2005019931.tif 000004
【図３】
2005019931.tif 000005